(57)【要約】      （修正有）【課題】鼠径部を締め付けず、且つ従来のパンツに比して使用者のウエスト部への圧迫感が少なく、就寝時において安眠を妨げないパンツを提供する。【解決手段】パンツは、下腹部を覆う衣製の前身頃１と臀部を覆う衣製の後身頃２とからなるパンツ本体と、ウエスト部を形成する伸縮自在な伸縮帯３とによって構成されている。前身頃１の下端部と後身頃２の下端部とは連設されていて、この連設部分が股下部となっている。伸縮帯３は、前身頃１の上辺部と後身頃２の上辺部とに固定されていて、この両上辺部とその間のサイド部Ｓを廻る一連の帯状となるように構成されている。伸縮帯３のうち、前身頃１の上辺部に固定される部分は非伸縮性の材料によって構成される非伸縮部３ｂとし、それ以外の部分は伸縮自在な伸縮部３ａとする。【選択図】図２
0003214242.tif 000002
【実用新案登録請求の範囲】
【請求項１】
使用者の下腹部を覆う略逆三角形の形状の衣製の前身頃の下端部と、前記使用者の臀部を覆う略逆三角形の形状の衣製の後身頃の下端部とが連設され、当該連設部分が股下部となるように構成された衣製のパンツ本体と、前記前身頃の上辺部と前記後身頃の上辺部とに固定され、当該２つの上辺部の間の両サイド部をも廻る一連の伸縮自在な伸縮帯からなるウエスト部とによって構成されるパンツであって、
前記ウエスト部を形成する前記伸縮帯は、前記前身頃の上辺部に固定される非伸縮性の材料からなる非伸縮部と、その他の伸縮自在な伸縮部とから構成されていることを特徴とするパンツ。
【請求項２】
前記伸縮帯の前記伸縮部は、ゴムバンド等の伸縮材が、該伸縮材の長さよりも長い長さの衣地によって包摂されている構成となっていることを特徴とする請求項１に記載のパンツ。
【請求項３】
前記前身頃および前記後身頃の裾の部分に、非伸縮性の材料からなる縁取り部が配設されていることを特徴とする請求項１に記載のパンツ。
【考案の詳細な説明】
【技術分野】
【０００１】
本考案は、使用者が下着として用いるパンツに関するものである。
【背景技術】
【０００２】
近年、健康志向の高まりから、鼠径部の血管やリンパ節を締め付けない、即ち、この鼠径部に当接する部分に伸縮帯を配設していない構成のパンツが広く使用されている。
【０００３】
このように構成された従来のパンツを図６（ａ），（ｂ）に示す。図６（ａ）は、パンツを前側（腹部側）から見た構成を示す斜視図であり、図６（ｂ）はパンツを後側（臀部側）から見た構成を示す斜視図である。
【０００４】
図６（ａ），（ｂ）において、１は、使用者の下腹部を覆う略逆三角形の形状の衣製の前身頃であり、２は、使用者の臀部を覆う略逆三角形の形状の衣製の後身頃である。前身頃１の下端部と後身頃２の下端部とは連設されていて、この連設部分が股下部Ｇを構成する。
【０００５】
３はパンツのウエスト部を構成する伸縮自在な伸縮帯であり、この伸縮帯３はパンツ本体を構成する前身頃１および後身頃２の上辺部に固定されている。図６（ａ），（ｂ）に示したように、伸縮帯３は、前身頃１の上辺部と後身頃２の上辺部との間の両サイド部Ｓと、前身頃１と後身頃２の両上辺部とを廻る一連の帯状となるように構成されている。
【０００６】
この伸縮帯３は、通常、想定される使用者のウエスト長よりも若干短い長さの帯状のゴムバンド等の伸縮材を、この伸縮材の長さよりも長い長さの衣地によって包摂した構成となっている。このようにゴムバンド等の伸縮材を衣地により包摂した構成となっている理由は、ゴムバンド等の伸縮材が使用者の肌に直接触れると、その触れた肌の部分に「かぶれ」が生じてしまうことがあるからである。
【０００７】
以上のように構成された伸縮帯３は、使用者の体に装着されていない状態においては、図６（ａ），（ｂ）に示したように伸縮帯３の表面の衣地に縦方向の多数の皺が形成されており、使用者が身体に装着すると、この多数の皺のそれぞれが若干伸びて使用者のウエスト部分に密着する。
【０００８】
通常、パンツの使用者は、図７（ａ），（ｂ）に示したように立った状態においてその身体Ｂにパンツを装着して、自らの身体Ｂに合ったサイズのパンツを選択する。このようにして選択された自らの身体Ｂに合ったサイズのパンツを装着した状態での伸縮帯３によって構成されるウエスト部における断面図を図８に示す。
【０００９】
図８に示したように、立った状態において、自らの身体Ｂに合ったサイズのパンツを装着した場合、ウエスト部を構成する伸縮帯３は使用者の身体Ｂの肌に密着した状態となっている。
【００１０】
図７（ａ），（ｂ）に示したような状態で、使用者が身体Ｂを動かしたり、また、使用者が食事をしてウエスト長が若干増したりする場合でも、一般的には、パンツのサイド部Ｓが身体Ｂに密着している位置がズレるようなことはない。従って使用者が食事をして身体Ｂの下腹部が膨張した場合には、前身頃１の上辺部から両サイド部Ｓに至る部分の伸縮帯３が伸びることによって、伸縮帯３の身体Ｂへの密着状態が保たれる。
【００１１】
また、使用者が就寝時に仰向けに寝た場合には、図９（ａ）に示したように、一般に下腹部が若干下がり、その分使用者の身体Ｂのウエスト長も若干減少する。このような場合には、前身頃１の上辺部から両サイド部Ｓに至る部分の伸縮帯３が縮むことによって、伸縮帯３の身体Ｂへの密着状態が保たれる。
【００１２】
さらに、使用者が就寝時に仰向けに寝た状態で、腹式呼吸をしたときには、図９（ｂ）に示したように、身体Ｂの下腹部がさらに下がる。このような状態になっても、前身頃１の上辺部から両サイド部Ｓに至る部分の伸縮帯３がさらに縮むことによって、伸縮帯３の身体Ｂへの密着状態が保たれる。
【００１３】
このように、以上説明した従来のパンツにおいては、就寝時にウエスト部を構成する伸縮帯が使用者の身体Ｂの肌に常に密着して締め付けているために、使用者が朝起きて、トイレなどで図１０に示すように伸縮帯３を下にズラした場合、使用者の身体Ｂに伸縮帯３による跡Ｐ、所謂「パンツの跡」が残ることがあった。
【考案の概要】
【考案が解決しようとする課題】
【００１４】
以上説明した従来のパンツにおいては、使用者の身体Ｂの鼠径部に当接する部分に伸縮帯が配設されていないので、鼠径部を締め付けず、鼠径部の血液やリンパ液の流れに影響を与えることはない。
【００１５】
しかしながら、このように従来のパンツは、ウエスト部を構成する伸縮帯３が常に身体Ｂを締め付けた状態で身体Ｂに密着しているために、使用者によっては、就寝時のような安静状態において、その圧迫感が気になり安眠が妨げられるという問題が生じていた。
【課題を解決するための手段】
【００１６】
以上の問題を解消するために本考案は、使用者の下腹部を覆う略逆三角形の形状の衣製の前身頃の下端部と、前記使用者の臀部を覆う略逆三角形の形状の衣製の後身頃の下端部とが連設され、当該連設部分が股下部となるように構成された衣製のパンツ本体と、前記前身頃の上辺部と前記後身頃の上辺部とに固定され、当該２つの上辺部の間の両サイド部をも廻る一連の伸縮自在な伸縮帯からなるウエスト部とによって構成されるパンツであって、前記ウエスト部を形成する前記伸縮帯は、前記前身頃の上辺部に固定される非伸縮性の材料からなる非伸縮部と、その他の伸縮自在な伸縮部とから構成されていることを特徴とするものである。ここで、前記伸縮帯の前記伸縮部は、ゴムバンド等の伸縮材が、該伸縮材の長さよりも長い長さの衣地によって包摂されている構成としてもよい。また、前記前身頃および前記後身頃の裾の部分に、非伸縮性の材料からなる縁取り部が配設されていてもよい。
【考案の効果】
【００１７】
本考案によれば、鼠径部を締め付けず、且つ従来のパンツに比して使用者のウエスト部への圧迫感が少なく、就寝時において安眠を妨げないパンツを提供することができる。
【図面の簡単な説明】
【００１８】
【図１】本考案の実施例１の構成を示す斜視図である。
【図２】本考案の実施例１の使用状態の説明図である。
【図３】本考案の実施例１の使用状態の説明図である。
【図４】本考案の実施例１の使用状態の説明図である。
【図５】本考案の実施例１の使用状態の説明図である。
【図６】従来のパンツの構成を示す斜視図である。
【図７】従来のパンツの使用状態の説明図である。
【図８】従来のパンツの使用状態の説明図である。
【図９】従来のパンツの使用状態の説明図である。
【図１０】従来のパンツの使用状態の説明図である。
【考案を実施するための形態】
【００１９】
以下、図面を用いて本考案の実施例について説明する。
【実施例１】
【００２０】
図１（ａ），（ｂ）は本考案の実施例１に係るパンツの構成を示した斜視図であり、図１（ａ）はパンツを前側（腹部側）から見た構成を示す斜視図であり、図１（ｂ）はパンツを後側（臀部側）から見た構成を示す斜視図である。
【００２１】
図１（ａ），（ｂ）において、従来のパンツの構成を示した図６（ａ），（ｂ）と同一符号のものは同一のものを示しているので、その説明は省略する。
【００２２】
図１（ａ），（ｂ）に示した本実施例１に係るパンツの構成が従来のパンツの構成と異なるところは、伸縮帯３の構成にあるので、以下、本実施例１に係る伸縮帯３について説明する。
【００２３】
図１（ａ），（ｂ）に示したように、本実施例１においては、ウエスト部を構成する一連の伸縮帯３のうち、前身頃１の上辺部に固定されている部分３ｂについては非伸縮性の材料、例えば前身頃１の材料である衣地等の非伸縮性の材料によって構成してある。また、この部分３ｂ以外の部分３ａについては、先に説明した従来のパンツの伸縮帯３と同様の構成、すなわち、ゴムバンド等の伸縮材を、この伸縮材の長さよりも長い長さの衣地によって包摂した構成となっている。
【００２４】
このように、本実施例１に係るパンツにおいては、ウエスト部を構成する一連の伸縮帯３が伸縮部３ａと非伸縮部３ｂとによって形成されている。
【００２５】
以上のように構成された本実施例１に係るパンツにおいては、図２に示すように従来のパンツと同様に、使用者は立った状態でパンツを装着して自らの身体Ｂに合ったサイズのパンツを選択する。
【００２６】
このようなパンツの着脱時においては、本実施例１の伸縮帯３のうち後身頃２の上辺部から両サイド部Ｓに至る伸縮部３ａが全体として伸縮するので、使用者は従来のパンツと同様に着脱の動作を楽に行うことができる。
【００２７】
また、図２（ａ），（ｂ）に示したような本実施例１に係るパンツの装着時においては、従来のパンツと同様に、一般的には、パンツのサイド部Ｓが身体Ｂに密着している位置がズレるようなことはない。
【００２８】
図２（ａ），（ｂ）に示したように使用者が立った状態で、自らの身体Ｂに合ったサイズの本実施例１に係るパンツを装着した場合のウエスト部における断面図を図３に示す。図３に示したような状態においては、伸縮部３ａが全体として伸びた状態になっており、伸縮帯３の伸縮部３ａと非伸縮部３ｂは共に使用者の身体Ｂに密着している。
【００２９】
この図３に示した状態から使用者が仰向けに寝た場合、使用者の身体Ｂの下腹部が若干下がってそのウエスト長も若干減少する。このウエスト長の減少過程においては、非伸縮部３ｂに連なっているサイド部の部分の伸縮部分３ａの伸びが徐々に減少していき、このサイド部の伸縮部３ａおよび非伸縮部３ｂが身体Ｂに加える圧力も減少するので、この部分と身体Ｂとの密着状態が少しずつ緩和される。従ってこの過程においては、使用者が感じる圧迫感も徐々に少なくなっていく（図４（ａ）に示した状態）。
【００３０】
使用者が仰向けに寝た状態になってから、使用者が腹式呼吸をして使用者の身体Ｂの下腹部がさらに下がってそのウエスト長が減少すると、図４（ｂ）に示したように、非伸縮部３ｂ自体が緩んだ状態となる。
【００３１】
この図４（ｂ）に示した状態となったときには、非伸縮部３ｂは使用者の身体Ｂには密着しておらず、従って使用者はウエスト部に圧迫感を感じない。
【００３２】
このように、使用者の身体Ｂに合ったサイズの本実施例１に係るパンツを装着した場合、使用者は就寝時において、従来のパンツを装着した場合に比して、ほとんど圧迫感を感じることなく、従って安眠を妨げられるようなこともない。
【００３３】
このような本実施例１に係るパンツを装着した場合には、就寝時においてウエスト部を構成する伸縮帯３が使用者の身体Ｂの下腹部に常に密着して締め付けるようなことがないので、使用者が朝起きて、トイレなどで図５に示すように伸縮帯３を下にズラしたとき、使用者の身体Ｂに伸縮帯３による跡、所謂「パンツの跡」が残ることはほとんどない。
【００３４】
なお、図１（ａ），（ｂ）に示した本実施例１に係るパンツにおいて、使用者の鼠径部に当接する裾の部分に、レース地等の非伸縮性の材料により装飾用の縁取り部を配設した場合でも、本考案の効果には全く影響はない。
【符号の説明】
【００３５】
１  前身頃
２  後身頃
３  伸縮帯（ウエスト部）
３ａ  伸縮部
３ｂ  非伸縮部
Ｂ  身体
Ｇ  股下部
Ｐ  跡
Ｓ  サイド部
【図１】
0003214242.tif 000003
【図２】
0003214242.tif 000004
【図３】
0003214242.tif 000005
【図４】
0003214242.tif 000006
【図５】
0003214242.tif 000007
【図６】
0003214242.tif 000008
【図７】
0003214242.tif 000009
【図８】
0003214242.tif 000010
【図９】
0003214242.tif 000011
【図１０】
0003214242.tif 000012